(57)【特許請求の範囲】
【請求項１】
所定の宣伝内容が印刷されたシート状表示物を起立状態に保持する差込み部を、商品見本の外周面と略対応する形状に形成された保持環本体の外周縁部に設けると共に、
上記保持環本体を、上記商品見本の外周面に対して装着される大きさに変形可能で、該商品見本の外周面に対して押し付けられる方向に復元可能に設け、
上記差込み部の上面側に、上記シート状表示物の下縁部が差込まれる溝部を形成し、
上記溝部の一側内壁面に、該溝部に差込まれたシート状表示物の下縁部を湾曲した状態に保持する滑らかな曲面形状の凸部を形成したことを特徴とする
商品見本の表示物保持環。
【請求項２】
上記差込み部を、上記保持環本体の外周縁部に対して円周方向に所定間隔に隔てて複数形成した
請求項１記載の商品見本の表示物保持環。
【請求項３】
上記差込み部を、上記保持環本体の前側外周縁部及び又は後側外周縁部に形成した
請求項１記載の商品見本の表示物保持環。
【請求項４】
上記商品見本の上側外周縁部に対して係止される係止部を、上記保持環本体の内周縁部及び又は外周縁部に形成した
請求項１記載の商品見本の表示物保持環。
【発明の詳細な説明】
【０００１】
【発明の属する技術分野】
この発明は、例えば清涼飲料水、炭酸飲料水、酒類、コーヒ、お茶等の飲み物が充填された商品を販売する販売機の商品見本に取り付けられ、その商品の販売及び購入を促進するときに用いられる商品見本の表示物保持環に関する。
【０００２】
【従来の技術】
従来、上述の商品に関する宣伝内容を表示する方法としては、例えば商品見本を、自動販売機を構成する展示部の展示面に取り付けられた支持台に載置固定し、所定の宣伝内容を支持台の側部周面に直接印刷したり、その宣伝内容が印刷された表示物を支持台の側部周面に装着する方法（実用新案登録第３０１０６７２号公報）がある。
【０００３】
【発明が解決しようとする課題】
しかし、上述の方法は、商品と酷似する商品見本のサイズに略対応して、複数サイズの支持台を予め製作準備する必要があるため、宣伝活動（キャンペーン）を開始又は終了したり、宣伝内容を変更したりする場合、商品見本及び支持台の全体を交換しなければならず、その都度、新しい商品見本及び支持台を製作するため、宣伝費及び製作費がコストアップになるという問題点を有している。
【０００４】
また、宣伝内容が印刷された貼付物を、商品見本が展示される展示部前面又は商品見本自体に貼付することがあるが、商品見本の意匠価値が損なわれるだけでなく、商品見本に印刷された表示内容の目視が妨げられるため、販売効果が損なわれるという問題点を有している。
【０００５】
この発明は上記問題に鑑み、表示物保持環を径方向に拡張して商品見本に装着し、所定の宣伝内容が印刷されたシート状表示物を表示物保持環に取り付けるので、シート状表示物を様々な大きさ及び形状を有する商品見本に取り付けることができ、商品の販売及び購入を促進するのに必要な宣伝効果を持たせることができる商品見本の表示物保持環の提供を目的とする。
【０００６】
【課題を解決するための手段】
この発明は、所定の宣伝内容が印刷されたシート状表示物を起立状態に保持する差込み部を、商品見本の外周面と略対応する形状に形成された保持環本体の外周縁部に設けると共に、上記保持環本体を、上記商品見本の外周面に対して装着される大きさに変形可能で、該商品見本の外周面に対して押し付けられる方向に復元可能に設け、上記差込み部の上面側に、上記シート状表示物の下縁部が差込まれる溝部を形成し、上記溝部の一側内壁面に、該溝部に差込まれたシート状表示物の下縁部を湾曲した状態に保持する滑らかな曲面形状の凸部を形成した商品見本の表示物保持環であることを特徴とする。
【０００７】
上述の表示物保持環を構成する保持環本体は、例えばプラスチックや金属等の可撓性を有する部材、スプリングや合成ゴム等の弾性を有する部材により元の状態に復元可能に構成することができる。また、シート状表示物は、例えば紙やプラスチック、金属等の可撓性を有する材質で形成したシートに、所定の宣伝内容を印刷してなるラベルで構成することができる。また、商品見本は、例えば缶型商品やボトル型商品、カップ形商品等の商品と略酷似する商品見本で構成することができる。
【０００８】
つまり、表示物保持環を、保持環本体の復元力に抗して径方向に拡張し、商品見本の上部外周面及び又は下部外周面に対して装着又は嵌着し、その復元力により装着状態を維持する。装着前又は装着後、所定の宣伝内容が印刷されたシート状表示物を、保持環本体の外周縁部に形成した差込み部に差込み固定する。
【０００９】
実施の形態として、上記差込み部を、上記保持環本体の外周縁部に対して円周方向に所定間隔に隔てて複数形成することができる。また、上記差込み部を、上記保持環本体の前側外周縁部及び又は後側外周縁部に形成することができる。また、上記商品見本の上側外周縁部に対して係止される係止部を、上記保持環本体の内周縁部及び又は外周縁部に形成することができる。
【００１０】
【作用及び効果】
この発明によれば、表示物保持環を径方向に拡張して商品見本に装着するので、特定の商品見本のみに限定されず、シート状表示物を、様々な大きさ及び形状を有する商品見本に取り付けることができる。且つ、シート状表示物を交換したり、表示物保持環を着脱するだけであるため、宣伝活動を開始又は終了したり、宣伝内容を変更したりする作業が簡単且つ容易に行えると共に、宣伝の度に商品見本を製作する必要がなく、宣伝費及び製作費のコスト低減を図ることができる。
【００１１】
しかも、表示物保持環の装着位置や装着個数を変更したり、シート状表示物の取り付け箇所や取り付け個数、種類などを自由に組合わせる等して、宣伝内容に応じて、様々なバリエーションを選択及び設定することができると共に、商品の販売及び購入を促進するのに必要な宣伝効果を持たせることができる。
【００１２】
【実施例】
この発明の一実施例を以下図面に基づいて詳述する。
図面は、特定商品の販売及び購入を促進するときに用いられる商品見本の表示物保持環を示し、図１、図２、図３に於いて、この商品見本Ａの表示物保持環１は、商品見本Ａを構成するラベル保持枠Ａａの上下保持部Ａｂに対して装着又は嵌着される保持環本体２と、その保持環本体２の前後外周縁部に対して起立状態に差込み固定される所定の宣伝内容を印刷したシート状表示物３とで構成される。
【００１３】
上述の保持環本体２は、例えばプラスチックや金属等の可撓性及び弾性を有する材質により上方から見て略Ｃ字状に形成され、例えば１６０mlや１９０ml、２５０ml等の内容量を有する小径缶商品に略対応したラベル保持枠Ａａの保持部Ａｂよりも小径に形成している。
【００１４】
且つ、保持環本体２の後端側周縁部を所定間隔に開放又は切り欠いて、例えば２８０mlや３５０ml等の内容量を有する大径缶商品に略対応したラベル保持枠Ａａの保持部Ａｂ外周面に対して装着される大きさに可撓可能及び拡張可能に形成している。つまり、拡張前の状態に復元しようとする保持環本体２自体の復元力により、保持環本体２の内周面を保持部Ａｂ外周面に対して径方向に押し付け、装着状態を保持するのに必要な緊縮抵抗及び接触抵抗を常時付与する。
【００１５】
且つ、シート状表示物３を構成する表示物３ａ，３ｂ，３ｅが起立状態に差込み固定される差込み部２ａを、保持環本体２の前側外周縁部と後側外周縁部（開放側両端部）とに対して所定間隔に隔てて形成し、その表示物３ａ，３ｂ，３ｅの下縁部が差込まれる溝部２ｂを差込み部２ａの上面側に形成し、表示物３ａ，３ｂ，３ｅを、保持環本体２の前後外周縁部に沿って所定の曲率半径に湾曲した状態に起立保持する。
【００１６】
なお、可撓可能な材質であれば、差込み部２ａを、保持環本体２の外周縁部に対して円周方向に連続して形成することもできる。また、差込み部２ａの代わりに、例えば表示物３ａ，３ｂ，３ｅの下縁部を、保持環本体２の外周縁部に形成した挟持片（図示省略）で挟持固定することもできる。
【００１７】
且つ、滑らかな曲面形状の凸部２ｃを溝部２ｂの一側内壁面に形成して、溝部２ｂに差込まれた表示物３ａ，３ｂ，３ｅの下縁部を湾曲すると共に、その表示物３ａ，３ｂ，３ｅの下縁部に対して差込み固定された状態を保持するのに必要な接触抵抗を付与する。
【００１８】
且つ、ラベル保持枠Ａａを構成する保持部Ａｂの上側外周縁部に対して係止される上方から見て略半円形状の係止片２ｄを、保持環本体２の前側内周縁部から両側内周縁部に至る上側内周縁部に沿って略連続して形成し、上側保持部Ａｂの上側外周縁部に対して係止される係止爪２ｅを、差込み部２ａの下面側に形成している。また、係止片２ｄを、保持環本体２の内側周縁部に沿って円周方向に対して所定間隔に隔てて部分的に形成することもできる。
【００１９】
加えて、ラベル保持枠Ａａの上下保持部Ａｂに対する装着状態を保持するのに必要な接触抵抗を有する滑り止め部材（図示省略）を、保持部Ａｂの外周面と保持環本体２の内周面との間に介在することもできる。
【００２０】
前述のシート状表示物３は、図４、図５にも示すように、正面から見て略台形状の表示物３ａと、正面から見て中央部が開放された略Ｕ字形状の表示物３ｂと、後述する表示物３ｅ，３ｆとで構成され、例えば紙やプラスチック等の材質によりシート状又はフィルム状に形成したラベル表面に、商品の販売を促進及びアピールするのに必要な宣伝内容（例えば絵、文字、図柄、マーク、キャラクター等）を表示物３の表面側に印刷し、その宣伝内容が目立つような大きさ及び形状に形成している。
【００２１】
且つ、上述の差込み部２ａに対して係止される係止溝３ｃを、表示物３ａ，３ｂの下縁部に対して所定間隔に隔てて切欠き形成し、差込み部２ａの下面側に対して係止される突起３ｄを、その係止溝３ｃの開放側一側縁部に形成している。なお、表示物３ｅ，３ｆにも係止溝３ｃ及び突起３ｄを形成しているので、その説明を省略する。また、差込み部２ａと、表示物３ａ，３ｂ，３ｅ，３ｆとの対向面に、例えば孔部と突起等の互に係止される凹凸を設けてもよい。
【００２２】
前述の商品見本Ａは、自動販売機（図示省略）の展示部に複数陳列され、販売される缶型商品と略酷似する缶形状を有している。つまり、シート状又はフィルム状に形成した表示ラベルＡｃを所定の曲率半径に湾曲した状態に保持する保持部Ａｂを、ラベル保持枠Ａａの前側上縁部と前側下縁部とに形成している。且つ、表示ラベルＡｃは、透光性を有するプラスチックにより商品の外周面と略対応する曲率半径に湾曲可能な材質又は厚みに形成され、その前側表示面に、商品と略同一の色彩、模様、文字等の意匠を印刷又は形成している。
【００２３】
また、表示物保持環１の装着状態を保持する保持手段の他の例として、例えば図６に示すように、保持環本体２の開放側両端部を、その両端部間に張架したコイルスプリング４の復元力により装着状態が維持される方向に付勢したり、図７に示すように、保持環本体２の開放側両端部を、その両端部に形成した弾性部５の復元力により装着状態が維持される方向に付勢する等してもよい。また、コイルスプリング４や弾性部５に代わる付勢手段の他の例として、例えば板バネや合成ゴム等の弾性体を用いることができる。
【００２４】
加えて、図８に示すように、上方から見て略環状に形成した保持環本体２を円周方向に対して複数に分割すると共に、その分割部分を、例えばコイルスプリングや合成ゴム等の復元力を有する弾性連結体６により連結して、装着状態が維持される方向に付勢することもできる。また、保持環本体２自体を、弾性体５や弾性連結体６等の拡張前の状態に復元可能な弾性体で構成することもできる。
【００２５】
図示実施例は上記の如く構成するものにして、以下、上述の表示物保持環１によりシート状表示物３の表示物３ａ，３ｂ，３ｅを、缶商品と酷似する缶形状の商品見本Ａに取り付ける方法を説明する。
【００２６】
先ず、図２、図３に示すように、表示物保持環１を、保持環本体２の復元力に抗して径方向に拡張し、商品見本Ａを構成するラベル保持枠Ａａの上側保持部Ａｂに対して前方（又は上方）から装着又は嵌着した後、図９にも示すように、正面から見て略台形状の表示物３ａを、保持環本体２の前側差込み部２ａに対して起立状態に差込み固定する。また、正面から見て中央部を開放した略Ｕ字形状の表示物３を、表示物保持環１の前側差込み部２ａに差込み固定することもできる。
【００２７】
また、図１０に示すように、表示物３ａを、ラベル保持枠Ａａの上側保持部Ａｂに装着した表示物保持環１の後側に差込み固定し、表示物３ｂを、表示物保持環１の前側に差込み固定して、表示物３ａ，３ｂを立体的に取り付ける。
【００２８】
或いは、図１１に示すように、表示物３ｂを、ラベル保持枠Ａａの下側保持部Ａｂに装着した表示物保持環１の前側に差込み固定したり、図１２に示すように、表示物３ａ，３ｂを、ラベル保持枠Ａａの上下保持部Ａｂに装着した表示物保持環１の前側に差込み固定する。
【００２９】
加えて、図１３に示すように、表示物３ｂを、ラベル保持枠Ａａの下側保持部Ａｂに装着した表示物保持環１の前側に差込み固定し、正面から見てラベル保持枠Ａａよりも高く、幅広に形成した略縦長形状の表示物３ｅを、表示物保持環１の後側に差込み固定する。つまり、シート状表示物３を構成する表示物３ａ，３ｂ，３ｅの中から一つ又は複数選択して取り付けたり、表示物３ａ，３ｂ，３ｅの取り付け位置や取り付け枚数を自由に設定することができる。
【００３０】
以上のように、表示物保持環１の保持環本体２を径方向に拡張して商品見本Ａの保持部Ａｂ外周面に装着するので、特定の商品見本Ａのみに限定されず、シート状表示物３を構成する表示物３ａ，３ｂ，３ｅ，３ｆを、様々な大きさ及び形状を有する商品見本Ａに取り付けることができる。且つ、表示物保持環１を着脱したり、シート状表示物３を交換するだけであるため、宣伝活動を開始又は終了したり、宣伝内容を変更したりする作業が簡単且つ容易に行えると共に、宣伝の度に商品見本Ａを製作する必要がなく、宣伝費及び製作費のコスト低減を図ることができる。
【００３１】
しかも、表示物保持環１の装着位置や装着個数を変更したり、シート状表示物３の取り付け箇所や取り付け個数、種類などを自由に組合わせる等して、宣伝内容に応じて、様々なバリエーションを選択及び設定することができると共に、商品の販売及び購入を促進するのに必要な宣伝効果を持たせることができる
さらに、表示物保持環１を、商品見本Ａの装着部外周面と略対応する装着幅に形成しているので、商品見本Ａの意匠性が損なわれたり、商品見本Ａに印刷された表示内容の目視が妨げられない。且つ、商品見本Ａに装着したまま放置しても違和感がなく、次回の宣伝開始まで装着待機させておくことができる。
【００３２】
且つ、保持環本体２の係止片２ｄを、ラベル保持枠Ａａの上下保持部Ａｂに係止するので、商品見本Ａに対して何等かの振動や衝撃が付与されても、表示物保持環１がラベル保持枠Ａａの上下保持部Ａｂから脱落したり、装着位置がズレたりするのを積極的に防止することができる。
【００３３】
図１４は、表示物３ｂを、ボトル型商品と略酷似するボトル形状を有する商品見本Ａの上側外周面に装着した表示物保持環１で保持する他の取り付け例を示し、表示物３ｂを、商品見本Ａを構成するラベル保持枠Ａａの上側外周面に装着した表示物保持環１の前側に差込み固定するので、上述の実施形態と略同等の作用及び効果を奏することができる。
【００３４】
また、図中仮想線に示すように、表示物３ｂを、ラベル保持枠Ａａの下側外周面に装着した表示物保持環１に差込み固定したり、表示物３ａ，３ｂ，３ｅ，３ｆを単独又は組合わせて、ラベル保持枠Ａａの上側外周面及び又は下外周面に装着した表示物保持環１に差込み固定することもできる。
【００３５】
図１５は、正面から見て略楕円形状の表示物３ｆを、カップ型商品と略酷似するカップ形状を有する商品見本Ａの上面側に装着した表示物保持環１で保持する他の使用例を示し、表示物保持環１を、ラベル保持枠Ａａを構成する上側保持部Ａｂの上面側中央部に載置し、保持環本体２の差込み部２ａ下面に形成した係止爪２ｅを、上側保持部Ａｂの上側外周縁部に係止して装着した後、表示物３ｆを、表示物保持環１の前側に差込み固定するので、上述の実施形態と略同等の作用及び効果を奏することができる。
【００３６】
また、図中仮想線に示すように、表示物３ｂを、ラベル保持枠Ａａの下側保持部Ａｂに装着した表示物保持環１に差込み固定したり、表示物３ａ，３ｂ，３ｅ，３ｆを単独又は組合わせて、ラベル保持枠Ａａの上下保持部Ａｂに装着した表示物保持環１に差込み固定することもできる。
【００３７】
図１６は、商品見本Ａの上側保持部Ａｂに装着される表示物保持環１と、下側保持部Ａｂに装着される表示物保持環１とを一体的に連結した例を示し、上下保持環本体２の後側両端部を支持片２ｆにより連結して、表示物３ａ，３ｂ，３ｅ，３ｆを、ラベル保持枠Ａａの上下保持部Ａｂに装着した表示物保持環１の前部及び又は後部に差込み固定するので、上述の実施形態と略同等の作用及び効果を奏することができる。
【００３８】
図１７は、上下の表示物保持環１を、特定又は伸縮式の商品見本Ａと略対応するサイズに上下伸縮自在に連結した他の例を示し、上側保持環本体２の後側両端部に垂設した支持片２ｆと、下側保持環本体２の後側両端部に立設した支持片２ｆとを重合すると共に、相互の対向面に形成した突起２ｇと孔部２ｈとを互いに係止して、販売される商品と略対応するサイズに伸縮調節した後、表示物３ａ，３ｂ，３ｅ，３ｆを、上下表示物保持環１の前部及び又は後部に差込み固定するので、様々なサイズを有する商品を、一つの商品見本Ａにより模倣することができる。
【００３９】
また、支持片２ｆの対向面に、例えば互いに係止される凹部と凸部とを上下方向に対して所定間隔に隔てて形成したり、伸縮状態を保持するのに必要な接触抵抗を有する滑り止め部材を介在する等して、所定するサイズに伸縮固定することもできる。
【００４０】
この発明の構成と、上述の実施例との対応において、
この発明の保持部は、実施例の差込み部２ａに対応し、
以下同様に、
係止部は、係止片２ｄと、係止爪２ｅとに対応するも、
この発明は、上述の実施例の構成のみに限定されるものではない。
【００４１】
上述の表示物保持環１を、例えば瓶商品やタバコ、食べ物等の商品に酷似する商品見本の外周面に対して装着可能な大きさ及び形状に形成することもでき、実施例の商品見本Ａのみに用途が限定されるものではない。
【図面の簡単な説明】
【図１】  表示物を起立保持するための表示物保持環を示す斜視図。
【図２】  略Ｃ字状を有する表示物保持環の拡縮動作を示す平面図。
【図３】  表示物保持環の装着状態を示す縦断側面図。
【図４】  略台形状の表示物を示す正面図。
【図５】  略Ｕ字形状の表示物を示す正面図。
【図６】  コイルスプリングによる表示物保持環の拡縮方法を示す平面図。
【図７】  弾性部による表示物保持の拡縮方法を示す平面図。
【図８】  略環状を有する表示物保持環の拡縮動作を示す平面図。
【図９】  表示物を缶形状の商品見本の上部前面に取り付けた例を示す斜視図。
【図１０】  表示物を商品見本の上部前後に取り付けた他の例を示す斜視図。
【図１１】  表示物を商品見本の下部前面に取り付けた他の例を示す斜視図。
【図１２】  表示物を商品見本の上下前面に取り付けた例を示す斜視図。
【図１３】  商品見本よりも大きい表示物を取り付けた例を示す斜視図。
【図１４】  表示物をボトル形状の商品見本に取り付けた他の例を示す斜視図。
【図１５】  表示物をカップ形状の商品見本に取り付けた他の例を示す斜視図。
【図１６】  表示物保持環を上下一体的に連設した他の例を示す斜視図。
【図１７】  表示物保持環を上下伸縮自在に連結した他の例を示す斜視図。
【符号の説明】
Ａ…商品見本
Ａａ…ラベル保持枠
Ａｂ…保持部
１…表示物保持環
２…保持環本体
２ａ…差込み部
２ｂ…溝部
２ｄ…係止片
２ｅ…係止爪
３…シート状表示物
３ａ，３ｂ，３ｅ，３ｆ…表示物
４…コイルスプリング
５…弾性部
６…弾性連結体
【図１】
0004087099.tif 000002
【図２】
0004087099.tif 000003
【図３】
0004087099.tif 000004
【図４】
0004087099.tif 000005
【図５】
0004087099.tif 000006
【図６】
0004087099.tif 000007
【図７】
0004087099.tif 000008
【図８】
0004087099.tif 000009
【図９】
0004087099.tif 000010
【図１０】
0004087099.tif 000011
【図１１】
0004087099.tif 000012
【図１２】
0004087099.tif 000013
【図１３】
0004087099.tif 000014
【図１４】
0004087099.tif 000015
【図１５】
0004087099.tif 000016
【図１６】
0004087099.tif 000017
【図１７】
0004087099.tif 000018